(57)【要約】【課題】画面上に表示された表示情報中の操作要素に対する操作を容易化することが可能な表示制御装置を提供する。【解決手段】表示制御装置１０は、表示装置２０の画面上に表示情報を表示させる表示情報表示部１１と、上記表示情報上の位置の指定を上記画面上で受け付ける位置指定受付部１２と、上記表示情報のうち上記指定された位置の近傍の領域を上記画面上に拡大表示させる拡大表示部１３と、上記拡大表示された領域に含まれる操作要素に対する操作を上記画面上で受け付ける操作受付部１４とを有する。【選択図】図１
2008146135.tif 000002
【特許請求の範囲】
【請求項１】
画面上に表示情報を表示させる表示部と、
前記表示情報上の位置の指定を前記画面上で受け付ける位置指定受付部と、
前記表示情報のうち前記指定された位置の近傍の領域を前記画面上に拡大表示させる拡大表示部と、
前記拡大表示された領域に含まれる操作要素に対する操作を前記画面上で受け付ける操作受付部と、
を有することを特徴とする表示制御装置。
【請求項２】
請求項１に記載の表示制御装置であって、
前記拡大表示部は、前記指定された位置の近傍に操作要素が密集している場合に、前記拡大表示を行うことを特徴とする表示制御装置。
【請求項３】
請求項１に記載の表示制御装置であって、
前記表示部は、前記表示情報のうち操作要素が密集している位置を前記画面上に識別可能に表示させ、
前記拡大表示部は、前記識別可能に表示された位置が指定された場合に、前記拡大表示を行うことを特徴とする表示制御装置。
【請求項４】
請求項１〜３のいずれか１項に記載の表示制御装置であって、
前記表示部は、前記表示情報の全体が一画面に収まるように前記表示情報を表示させる、
ことを特徴とする表示制御装置。
【請求項５】
請求項１〜４のいずれか１項に記載の表示制御装置であって、
前記画面は、タッチパネルを備えた表示装置の画面であり、
前記位置指定受付部は、前記タッチパネルを介して前記指定を受け付け、
前記操作受付部は、前記タッチパネルを介して前記操作を受け付ける、
ことを特徴とする表示制御装置。
【請求項６】
コンピュータに、
画面上に表示情報を表示させるステップと、
前記表示情報上の位置の指定を前記画面上で受け付けるステップと、
前記表示情報のうち前記指定された位置の近傍の領域を前記画面上に拡大表示させるステップと、
前記拡大表示された領域に含まれる操作要素に対する操作を前記画面上で受け付けるステップと、
を実行させることを特徴とする表示制御プログラム。
【発明の詳細な説明】
【技術分野】
【０００１】
本発明は、表示制御装置および表示制御プログラムに関する。
【背景技術】
【０００２】
Ｗｅｂページの利用をアシストする技術が提案されている。
【０００３】
例えば、特許文献１には、ブラウザ機能により閲覧対象となっているＷｅｂページを解析して得られるＷｅｂページ解析データ、および過去に閲覧したＷｅｂページに対する過去ログ解析データをもとにして、ブラウザ画面に付随させたキャラクタによりメッセージを出力させるブラウジングアシスト装置が記載されている。
【０００４】
また、特許文献２には、キャラクタ画像を表示し、Ｗｅｂページをキャラクタ画像と同一の画面に表示し、上記Ｗｅｂページに関連する関連情報をキャラクタ画像と同一の画面に表示するＷｅｂページ閲覧アシスト方法が記載されている。
【０００５】
また、特許文献３には、端末と、当該端末に情報を提供するＷｅｂサーバとを有するネットワークシステムであって、Ｗｅｂサーバが端末からの情報に基づいて画像構成特定情報と利用者特定情報とを対応付けて格納することにより、端末の利用者がＷｅｂページを自分の利用し易いように構成することを可能にするものが記載されている。
【０００６】
【特許文献１】特開２００１−３５０７５６号公報
【特許文献２】特開２００２−２５９２４４号公報
【特許文献３】特開２００２−０５５９４９号公報
【発明の開示】
【発明が解決しようとする課題】
【０００７】
ところで、Ｗｅｂページはリンクやボタンなどの操作要素を含むが、操作要素が密集している場合や、操作要素の表示サイズが小さい場合などには、操作要素に対する操作が困難である。
【０００８】
このような事情は、操作要素を含む表示情報であれば、Ｗｅｂページ以外の表示情報についても同様に存在する。
【０００９】
そこで、本発明は、画面上に表示された表示情報中の操作要素に対する操作を容易化することが可能な表示制御装置を提供する。
【課題を解決するための手段】
【００１０】
本発明に係る表示制御装置は、画面上に表示情報を表示させる表示部と、前記表示情報上の位置の指定を前記画面上で受け付ける位置指定受付部と、前記表示情報のうち前記指定された位置の近傍の領域を前記画面上に拡大表示させる拡大表示部と、前記拡大表示された領域に含まれる操作要素に対する操作を前記画面上で受け付ける操作受付部と、を有することを特徴とする。
【００１１】
本発明の一態様では、前記拡大表示部は、前記指定された位置の近傍に操作要素が密集している場合に、前記拡大表示を行う。
【００１２】
また、本発明の一態様では、前記表示部は、前記表示情報のうち操作要素が密集している位置を前記画面上に識別可能に表示させ、前記拡大表示部は、前記識別可能に表示された位置が指定された場合に、前記拡大表示を行う。
【００１３】
また、本発明の一態様では、前記表示部は、前記表示情報の全体が一画面に収まるように前記表示情報を表示させる。
【００１４】
また、本発明の一態様では、前記画面は、タッチパネルを備えた表示装置の画面であり、前記位置指定受付部は、前記タッチパネルを介して前記指定を受け付け、前記操作受付部は、前記タッチパネルを介して前記操作を受け付ける。
【００１５】
本発明に係る表示制御プログラムは、コンピュータに、画面上に表示情報を表示させるステップと、前記表示情報上の位置の指定を前記画面上で受け付けるステップと、前記表示情報のうち前記指定された位置の近傍の領域を前記画面上に拡大表示させるステップと、前記拡大表示された領域に含まれる操作要素に対する操作を前記画面上で受け付けるステップと、を実行させることを特徴とする。
【発明の効果】
【００１６】
本発明によれば、画面上に表示された表示情報中の操作要素に対する操作を容易化することが可能な表示制御装置を提供することができる。
【発明を実施するための最良の形態】
【００１７】
以下、本発明の実施の形態を図面に従って説明する。
【００１８】
［第１の実施の形態］
図１は、本実施の形態に係る表示制御装置１０の構成を示すブロック図である。この表示制御装置１０は、Ｗｅｂページなどの表示情報を含む文書を画面上に表示させるものである。本実施の形態では、表示制御装置１０は、複写機、プリンタ、ファクシミリ、あるいはスキャナ、またはこれらの機能の組み合わせを含む複合機などの画像処理装置に搭載されている。ただし、表示制御装置１０は、券売機やパーソナルコンピュータなどの他の装置に搭載されてもよい。
【００１９】
本実施の形態では、表示制御装置１０の各種機能は、ハードウェア資源とソフトウェアとの協働により実現される。具体的には、外部記憶装置やＲＯＭ（Read Only Memory）等の記録媒体に記録された表示制御プログラムがメインメモリに読み出されてＣＰＵ（Central Processing Unit）により実行されることによって実現される。本実施の形態では、上記表示制御プログラムは、Ｗｅｂブラウザである。上記表示制御プログラムは、ＣＤ−ＲＯＭ等の記録媒体に記録されて提供されることも可能であるし、通信手段により提供されることも可能である。なお、表示制御装置１０の各種機能は、ハードウェアのみにより実現されてもよい。
【００２０】
図１において、表示制御装置１０は、表示情報表示部１１、位置指定受付部１２、拡大表示部１３、および操作受付部１４を有する。
【００２１】
表示情報表示部１１は、表示装置２０の画面上に文書を表示させる。ここで、文書は、画面上で操作される要素である操作要素を含む文書であり、本実施の形態では、操作要素としてリンクやボタン等を含むＷｅｂページである。表示装置２０は、文書等の画像を表示する装置であり、本実施の形態では、画像処理装置に設けられたタッチパネル付きの液晶ディスプレイである。
【００２２】
本実施の形態では、表示情報表示部１１は、表示対象の文書を、当該文書の全体が表示装置２０の一画面に収まるように表示させる。例えば、表示情報表示部１１は、縦に長いＷｅｂページを表示させる場合、図２に示されるように、画面２０１内にＷｅｂページ２０２を縮小して表示させる。
【００２３】
位置指定受付部１２は、入力装置３０に対する利用者の操作に基づき、文書上の位置の指定を画面上で受け付ける。本実施の形態では、入力装置３０は表示装置２０に設けられたタッチパネルであり、位置指定受付部１２は、表示装置２０の画面上でのタッチ操作に基づき、文書上の位置の指定をタッチパネル３０を介して受け付ける。
【００２４】
拡大表示部１３は、上記文書のうち位置指定受付部１２にて指定された位置の近傍の領域を、表示装置２０の画面上に拡大表示させる。例えば、図３に示されるように、位置３０１が指定された場合、当該位置３０１の近傍の領域３０２が拡大表示領域３０３に拡大表示される。
【００２５】
ここで、指定された位置の近傍の領域（すなわち拡大表示される元の領域３０２）は、適宜に決められればよいが、例えば、指定された位置を中心とする所定サイズの矩形領域である。拡大表示される元の領域３０２は、一つの実施態様では、拡大表示領域３０３が適切な大きさになるように、かつ、拡大表示後に文字等が適切な大きさとなるように決められる。例えば、拡大表示される元の領域３０２のサイズは、文書が表示される際の縮小率に応じて決められる。
【００２６】
また、拡大表示後の表示領域である拡大表示領域３０３は、適宜に決められればよいが、例えば、所定位置を中心とする所定サイズの矩形領域である。拡大表示領域３０３の位置は、一つの実施態様では、拡大表示される元の領域３０２の位置に応じて決められる。例えば、拡大表示領域３０３の位置は、拡大表示された情報とともに、その周辺の情報を参照することが可能となるように決められる。ただし、拡大表示領域３０３の位置やサイズは、予め決められた固定的なものであってもよい。
【００２７】
また、拡大表示する際の拡大率は、適宜に決められればよいが、例えば、拡大表示後の画像がオリジナルサイズとなるようなものや、拡大表示後の画像がタッチパネルに適した大きさとなるようなものである。
【００２８】
操作受付部１４は、拡大表示部１３により拡大表示された領域に含まれる操作要素に対する操作を上記画面上で受け付ける。
【００２９】
図４は、本実施の形態に係る表示制御装置１０の動作手順を示すフローチャートである。以下、図４に従って、表示制御装置１０の動作について具体的に説明する。
【００３０】
表示制御装置１０は、インターネット等のネットワークを介してＷｅｂサーバからＷｅｂページを取得し、当該Ｗｅｂページを表示装置２０の画面上に表示させる（Ｓ１１）。この際、Ｗｅｂページが表示装置２０の画面内に収まらない場合には、表示制御装置１０は、一画面に収まるようにＷｅｂページを縮小して表示させる。
【００３１】
ついで、表示制御装置１０は、Ｗｅｂページ上の位置の指定をタッチパネル３０を介して受け付けると（Ｓ１２）、Ｗｅｂページのうち当該指定された位置の近傍の領域を画面上に拡大表示させる（Ｓ１３）。
【００３２】
ついで、表示制御装置１０は、拡大表示された領域に含まれる操作要素に対するタッチ操作を画面上で受け付けると（Ｓ１４）、当該操作要素に応じた処理を実行する（Ｓ１５）。例えば、リンクがタッチされた場合には、表示制御装置１０は、リンク先のＷｅｂページをネットワーク経由で取得し、当該Ｗｅｂページを表示装置２０の画面上に表示させる。
【００３３】
以上説明した本実施の形態によれば、下記（１）〜（３）の効果が得られ得る。
【００３４】
（１）本実施の形態では、文書上の位置の指定を画面上で受け付け、上記文書のうち指定された位置の近傍の領域を上記画面上に拡大表示させ、拡大表示された領域に含まれる操作要素に対する操作を上記画面上で受け付ける。このため、本実施の形態によれば、画面上に表示された文書中の操作要素に対する操作を容易化することが可能となる。具体的には、操作要素が密集している場合や、操作要素の表示サイズが小さい場合において、拡大表示後に操作を行うことができ、操作要素に対する操作を容易化することができる。特に、タッチパネル付きの表示装置においては、リンクやボタン等が大きく表示されることにより、リンクやボタン等を正しく押すことが可能となる。
【００３５】
（２）本実施の形態では、表示対象の文書を、当該文書の全体が一画面に収まるように表示させる。このため、本実施の形態によれば、画面のスクロール操作を不要にすることが可能となる。これにより、特に、タッチパネル付きの表示装置における操作性を向上させることができる。
【００３６】
（３）複写機等の画像処理装置において、外部サーバに構築されたＷｅｂサービスをタッチパネルで利用するサービス形態が増えてきている。複写機等に提供するサービスをＷｅｂサービスとして構築することの利点としては、汎用の技術を使うため開発が短期間に進められるということがある。
【００３７】
しかし、世間で一般に利用されているＷｅｂサービスはマウス等のポインティングデバイスでの使用を前提としており、タッチパネルで使うためには、一般に、操作性をタッチパネルに適したものに作り変える必要がある。
【００３８】
具体的には、リンクやボタン等の操作要素を指で押せる程度の大きなものにする必要がある。また、タッチパネルにおいては画面のスクロールは操作的に快適とはいえないため、一画面に収まるようにレイアウトする必要がある。
【００３９】
これに対し、本実施の形態では、表示制御装置側の機能により、スクロール操作を不要とすることが可能となり、また操作要素を大きくすることが可能となるので、既存の様々なＷｅｂサービスを作り変えることなくタッチパネルで快適に使用することが可能となる。
【００４０】
［第２の実施の形態］
以下、第２の実施の形態に係る表示制御装置について説明するが、上記第１の実施の形態と同様の部分については、同一の符号を用い、説明を省略する。
【００４１】
本実施の形態では、拡大表示部１３は、位置指定受付部１２にて指定された位置の近傍に操作要素が密集している場合に、拡大表示を行う。ここで、「指定された位置の近傍に操作要素が密集している場合」は、適宜に定義されればよいが、例えば、指定された位置を中心とするある一定の範囲内に操作要素が複数存在する場合である。
【００４２】
図５は、本実施の形態に係る表示制御装置の動作手順を示すフローチャートである。以下、図５に従って、本実施の形態に係る表示制御装置の動作について具体的に説明する。
【００４３】
表示制御装置は、上記第１の実施の形態と同様に、Ｗｅｂページを表示装置２０の画面上に表示させる（Ｓ２１）。
【００４４】
ついで、表示制御装置は、Ｗｅｂページ上の位置の指定をタッチパネル３０を介して受け付けると（Ｓ２２）、指定された位置の近傍に操作要素が密集しているか否かを判断する（Ｓ２３）。
【００４５】
操作要素が密集していると判断された場合（Ｓ２３：ＹＥＳ）、表示制御装置は、Ｗｅｂページのうち上記指定された位置の近傍の領域を画面上に拡大表示させる（Ｓ２４）。そして、表示制御装置は、拡大表示された領域に含まれる操作要素に対するタッチ操作を画面上で受け付けると（Ｓ２５）、当該操作要素に応じた処理を実行する（Ｓ２６）。
【００４６】
一方、操作要素が密集していないと判断された場合（Ｓ２３：ＮＯ）、表示制御装置は、ステップＳ２２で操作要素が操作されたか否かを判断する（Ｓ２７）。具体的には、表示制御装置は、タッチされた位置が操作要素上であれば、当該操作要素が操作されたと判断し、それ以外の場所であれば、操作要素は操作されなかったと判断する。
【００４７】
操作要素が操作されたと判断された場合（Ｓ２７：ＹＥＳ）、表示制御装置は、当該操作された操作要素に応じた処理を実行する（Ｓ２８）。例えば、リンクがタッチされた場合には、表示制御装置は、リンク先のＷｅｂページをネットワーク経由で取得し、当該Ｗｅｂページを表示装置２０の画面上に表示させる。
【００４８】
一方、操作要素は操作されなかったと判断された場合（Ｓ２７：ＮＯ）、ステップＳ２２に戻る。
【００４９】
以上説明した本実施の形態によれば、上記（１）〜（３）の効果の他に、下記（４）の効果が得られ得る。
【００５０】
（４）本実施の形態では、指定された位置の近傍に操作要素が密集している場合に、拡大表示を行う。このため、本実施の形態によれば、操作要素が密集していることによる操作の困難性を回避または軽減することが可能となるとともに、どの位置が指定されても拡大表示されることによる不利益（例えば操作性の悪化）を回避または軽減することが可能となる。
【００５１】
［第３の実施の形態］
以下、第３の実施の形態に係る表示制御装置について説明するが、上記第１の実施の形態と同様の部分については、同一の符号を用い、説明を省略する。
【００５２】
本実施の形態では、表示情報表示部１１は、表示対象の文書のうち操作要素が密集している位置を画面上に識別可能に表示させる。ここで、操作要素が密集している位置（以下、「密集位置」と称す）は、適宜に定義されればよいが、例えば、ある一定の範囲内に操作要素が複数存在する位置である。密集位置を画面上に識別可能に表示させる態様としては、例えば、当該密集位置の領域を枠で囲むことや、当該密集位置の領域内のテキスト部分の全体にアンダーラインを引くこと、当該密集位置の領域内または近傍に所定の画像（ボタン等の画像）を配置することなどが挙げられる。図６には、密集位置の領域６０１を枠６０２で囲んだ様子が示されている。なお、密集位置は、一つの文書内に複数存在し得る。
【００５３】
拡大表示部１３は、上記識別可能に表示された位置（すなわち密集位置）が指定された場合に、拡大表示を行う。識別可能に表示された位置が指定された場合としては、例えば、密集位置を囲む枠の内部がタッチされた場合や、密集位置に配置された所定の画像（ボタン等の画像）がタッチされた場合などが挙げられる。図６には、枠６０２の内部がタッチされ、枠内の領域が拡大表示領域６０３に拡大表示された様子が示されている。
【００５４】
図７は、本実施の形態に係る表示制御装置の動作手順を示すフローチャートである。以下、図７に従って、本実施の形態に係る表示制御装置の動作について具体的に説明する。
【００５５】
表示制御装置は、インターネット等のネットワークを介してＷｅｂサーバからＷｅｂページを取得し、当該Ｗｅｂページを表示装置２０の画面上に表示させる（Ｓ３１）。この際、表示制御装置は、当該Ｗｅｂページにおいて密集位置を検知すると、図６に示されるように、当該密集位置の領域を枠で囲んで表示する。
【００５６】
ついで、表示制御装置は、Ｗｅｂページ上の位置の指定をタッチパネル３０を介して受け付けると（Ｓ３２）、密集位置が指定されたか否かを判断する（Ｓ３３）。具体的には、表示制御装置は、タッチされた位置が枠内であれば、当該枠に対応する密集位置が指定されたと判断し、それ以外の場所であれば、密集位置は指定されなかったと判断する。
【００５７】
密集位置が指定されたと判断された場合（Ｓ３３：ＹＥＳ）、表示制御装置は、図６に示されるように、当該指定された密集位置の領域を、表示装置２０の画面上に、タッチパネルで操作しやすい大きさに拡大表示させる（Ｓ３４）。そして、表示制御装置は、拡大表示された領域に含まれる操作要素に対するタッチ操作を画面上で受け付けると（Ｓ３５）、当該操作要素に応じた処理を実行する（Ｓ３６）。例えば、図６の例では、拡大表示領域６０３に含まれるリンク６１１〜６１５のいずれかに対するタッチ操作を受け付けると、タッチされたリンク先のＷｅｂページをネットワーク経由で取得し、当該Ｗｅｂページを表示装置２０の画面上に表示させる。
【００５８】
一方、密集位置は指定されなかったと判断された場合（Ｓ３３：ＮＯ）、表示制御装置は、ステップＳ３２で操作要素が操作されたか否かを判断する（Ｓ３７）。具体的には、表示制御装置は、タッチされた位置が操作要素上であれば、当該操作要素が操作されたと判断し、それ以外の場所であれば、操作要素は操作されなかったと判断する。
【００５９】
操作要素が操作されたと判断された場合（Ｓ３７：ＹＥＳ）、表示制御装置は、当該操作された操作要素に応じた処理を実行する（Ｓ３８）。
【００６０】
一方、操作要素は操作されなかったと判断された場合（Ｓ３７：ＮＯ）、ステップＳ３２に戻る。
【００６１】
以上説明した本実施の形態によれば、上記（１）〜（３）の効果の他に、下記（５）の効果が得られ得る。
【００６２】
（５）本実施の形態では、操作要素が密集している位置を画面上に識別可能に表示させ、識別可能に表示された位置が指定された場合に、拡大表示を行う。このため、本実施の形態によれば、操作要素が密集していることによる操作の困難性を回避または軽減することが可能となるとともに、どの位置が指定されても拡大表示されることによる不利益（例えば操作性の悪化）を回避または軽減することが可能となる。また、どの位置を指定すれば拡大表示されるかが利用者にとって分かり易い。
【００６３】
なお、本発明は、上記実施の形態に限定されるものではなく、本発明の要旨を逸脱しない範囲内で種々変更することができる。例えば、上記実施の形態では、入力装置３０としてタッチパネルを例示したが、入力装置３０は、画面上で位置の指定や操作要素に対する操作を行うことができるものであれば、タッチパネル以外のものであってもよい。例えば、入力装置３０は、マウスやトラックボール等のポインティングデバイスであってもよい。この場合、位置の指定や操作要素に対する操作は、例えばクリックやダブルクリックなどである。
【図面の簡単な説明】
【００６４】
【図１】実施の形態に係る表示制御装置の構成を示すブロック図である。
【図２】縦に長いＷｅｂページが縮小して表示された画面を示す図である。
【図３】第１の実施の形態における拡大表示を説明するための図である。
【図４】第１の実施の形態に係る表示制御装置の動作手順を示すフローチャートである。
【図５】第２の実施の形態に係る表示制御装置の動作手順を示すフローチャートである。
【図６】第３の実施の形態に係る表示制御装置により表示された画面の一例を示す図である。
【図７】第３の実施の形態に係る表示制御装置の動作手順を示すフローチャートである。
【符号の説明】
【００６５】
１０  表示制御装置、１１  表示情報表示部、１２  位置指定受付部、１３  拡大表示部、１４  操作受付部、２０  表示装置、３０  入力装置。
【図１】
2008146135.tif 000003
【図２】
2008146135.tif 000004
【図３】
2008146135.tif 000005
【図４】
2008146135.tif 000006
【図５】
2008146135.tif 000007
【図７】
2008146135.tif 000008
【図６】
2008146135.tif 000009